(57)【要約】【課題】堅固なケースと、該ケース内に配置されたインプラントホルダとが設けられてた、歯科用インプラントのためのパッケージを改良して、安定性良く、実用的で、場合によっては無菌状態を維持した取出しを可能にするパッケージを提供する。【解決手段】ケース１が、互いに異なる２つの平面６及び平面７で立てておくことが可能であり、かつケース１が、インプラントホルダ２のための収容部と、インプラントホルダ２及び／又は該インプラントホルダ２内に保持されたインプラント９を把持するための開口とを有しており、インプラントホルダ２が、インプラント９を収容するための凹部を有している。【選択図】図１
2004243127.tif 000002
【特許請求の範囲】
【請求項１】
歯科用インプラントのためのパッケージであって、堅固なケースと、該ケース内に配置されたインプラントホルダとが設けられている形式のものにおいて、ケース（１）が、互いに異なる２つの平面（６）及び平面（７）で立てておくことが可能であり、かつケース（１）が、インプラントホルダ（２）のための収容部と、インプラントホルダ（２）及び／又は該インプラントホルダ（２）内に保持されたインプラント（９）を把持するための開口とを有しており、インプラントホルダ（２）が、インプラント（９）を収容するための凹部を有していることを特徴とする、歯科用インプラントのためのパッケージ。
【請求項２】
インプラント（９）が、工具によって取り出すことができる、しかも平面（６）でも平面（７）でも立った状態で取り出すことができるようになっている、請求項１記載のパッケージ。
【請求項３】
平面（６）と平面（７）とが、互いにほぼ垂直になっている、請求項１又は２記載のパッケージ。
【請求項４】
ケース（１）とインプラントホルダ（２）とが、滅菌可能になっている、請求項１から３までのいずれか１項記載のパッケージ。
【請求項５】
開口が、フィルムによって閉じられている、請求項１から４までのいずれか１項記載のパッケージ。
【請求項６】
ホルダが、ケース（１）から取出し可能になっており、さらに該ケース（１）が、異なる２つの平面（６）及び平面（７）で立てておくことが可能である、請求項１記載のパッケージ。
【請求項７】
ホルダが、押し込むことによりケース（１）に固定することができ、係止手段によって係止可能であり、さらに再び取り外すことができるようになっている、請求項６記載のパッケージ。
【請求項８】
凹部が、インプラント（９）を収容するための先細りするスリットの形で形成されており、該スリットが、弾性的な材料から製造されているか、又は弾性的な材料から成るリップにより覆われている、請求項６又は７記載のパッケージ。
【請求項９】
インプラントホルダ（２）が、ケース（１）内の基準平面（６）及び基準平面（７）に対してほぼ平行に固定されている、請求項１から５までのいずれか１項記載のパッケージ。
【請求項１０】
凹部が、円筒状の形状を収容するための環状の切欠きを備えており、かつばね弾性的に可動になっている、請求項９記載のパッケージ。
【請求項１１】
インプラントホルダ（２）が、チタン薄板の形で形成されている、請求項９又は１０記載のパッケージ。
【発明の詳細な説明】
【技術分野】
【０００１】
本発明は、歯科用インプラントのためのパッケージであって、特にインプラントホルダとケースとを有している形式のものに関する。
【背景技術】
【０００２】
歯科用インプラントは一般にあらかじめ製造されて製造者によって搬送される。歯科医師若しくは口腔外科医師は、この歯科用インプラントを人の顎に挿入する。目的に適合して、インプラントは無菌状態で搬送される。特別なインプラントのためには、特にドリルが設けられており、このドリルも同様に無菌状態で搬送される。
【０００３】
歯科用インプラント又は付属の部材、例えばドリルの収容、搬送、保管及び取外しのためのパッケージは、種々異なる構成で知られている。これらの構成の多くは、小さい管の形状を有しており、安定的ではない。
【発明の開示】
【発明が解決しようとする課題】
【０００４】
そこで本発明の課題は、安定性良く、実用的で、場合によっては無菌状態を維持した取出しを可能にするパッケージを提供することである。
【課題を解決するための手段】
【０００５】
この課題を解決した本発明の手段によれば、歯科用インプラントのためのパッケージは、堅固なケースと、このケース内に配置されたインプラントホルダとを備えており、この場合、ケースは互いに異なる２つの平面で立てておくことが可能（Ｓｔａｎｄｆａｅｈｉｇ）である。このケースは、インプラントホルダのための収容部と、インプラントホルダ及び／又はインプラントホルダ内に保持されたインプラントを把持するための開口とを有しており、インプラントホルダは、インプラントを収容するための凹部を有している。
【０００６】
特に有利には、インプラントは無菌状態かつ固定して貯蔵することができ、パッケージは安定性良く、簡単に開かれるようになっており、かつインプラントは簡単に接触なしに取出し可能になっている。この場合、接触なしにとは、インプラントが人の手によって操作される必要がなく、滅菌状態で工具によって取り出すことができ、この工具によってさらに操作されるか、又は顎に挿入されるということを意味する。
【０００７】
１実施例では、ホルダはケースから取出し可能になっており、さらにこのケースは、互いにほぼ垂直に位置する平面で立てておくことが可能である。この場合、有利には前記ホルダは小テーブルのような形に形成されている、すなわち、スリットを備えた板が、４つの脚又は側部に取付けられた２つのスタンド板を備えている。この場合、ホルダは押し込むことによりケース内に固定でき、係止手段により係止可能になっているので有利である。反対に、係止手段を解除し、ホルダを再び取り出すことができる。
【０００８】
別の実施例では、インプラントホルダはケース内で基準平面に対してほぼ平行に固定されている。この場合、インプラントホルダが板の形で形成されており、この板のために、案内部がケースに設けられていると有利である。しかし、固定は別の形式、例えば押しボタン式のスナップ装置を介して行うこともできる。
【０００９】
この実施例でインプラントホルダを形成している板は、有利にはチタン薄板の形で形成されている。
【００１０】
一般に、ケースはフィルムによって閉じられており、特にシールフィルムによって、面に沿ってシールされている。
【００１１】
１実施例では、凹部はインプラントを収容するための先細りするスリットの形で形成されており、このスリットは弾性的な材料から製造されているか、又は弾性的な材料から成るリップにより覆われている。
【００１２】
別の実施例では、凹部は、円筒状の形状を収容するための環状の切欠きを備えており、かつ弾性的に可動であり、これにより、円筒状の部材を係止及び係止解除することができるようになっている。
【発明を実施するための最良の形態】
【００１３】
次に本発明によるパッケージの有利な実施例を図面につき説明する。
【００１４】
１実施例では、有利にはプラスチックから成るインプラントホルダ２が、ほぼ小テーブルのような外観を有している。このインプラントホルダ２の表面は、外側から内側へ向かって先細りする凹部（スリット）３を有している。インプラント９は、最も簡単な形でこのスリット３内に挟み込まれる。インプラントホルダ２自体は同様に安定性良いケース１内に押し込まれ、場合によっては係止手段４により固定される。ケース１は、有利には引離し可能なフィルムによって、面５を介して無菌性にシールされる。このフィルムは、ケース１と共にパッケージを滅菌可能なパッケージの形に閉鎖する。有利には、ケース１はほぼ対角線状に半割された平面六面体の形状を有しており、これにより、平面６及び平面７で立てて置くことができる。ケース１は、有利にはブリスタパッケージの形の透明なプラスチックから成っており、アルミニウムフィルムによりシールされている。
【００１５】
使用時には、まずフィルムが引き離される。次いで直接に工具をインプラント９に固定し、インプラント９を取り出すことができる。選択的に、あらかじめインプラントホルダ２をパッケージから取り出すことができる。この場合、インプラントホルダ２は、係止手段を解除するために圧縮可能になっており、相応のハンドグリップを備えている。選択的に、係止手段４は省略することができる。
【００１６】
スリット３は、図１に示したように構成されていてよい。この構成では、インプラント９は取り出される前には単にスリット３に挟み込まれている。対応して、スリット３が柔らかい材料により被覆されている場合、持続的な保持のために有利である。図２に示したような構成を設けることもできる。この場合、スリット３は、例えば図示の雪だるまの形に段階的に先細りする。これにより、異なる直径（この場合、直径サイズ１〜３まで）のインプラント９とホルダ２とをホルダ２内に位置決めすることが可能となる。例えばドリルとインプラント９とは、１つのキット内に一緒に包装することができる。インプラント９又はドリルは堅固に座着されているが、プラスチックの弾性に基づいて、又はスリットがばね弾性的に広がり可能になっているので、簡単に取り外し可能である。インプラントホルダ２は、インプラント９を収容するための、スリット３を備えた独立したクランプ部材を有していてもよい。これにより、例えばホルダ２をプラスチックから製造し、スリット３を備えたクランプ部材をチタンから製造することが可能である。クランプ部材は、インプラント９を収容するための先細りするスリット３を有していてよく、このスリット３は、弾性的な材料から成っているか、又は弾性的な材料からなるリップにより覆われている。クランプ部材は、円筒状の形状を収容するための環状の切欠きを備えたスリット３を有していてもよく、このスリット３はばね弾性的に可動であり、これにより、円筒状の部材を係止及び係止解除することができるようになっている。
【００１７】
インプラントパッケージの特別な利点（スリット３を備えた保持台及びケース１）
ケース１
・ケース１は（面５に対して付加的に）２つの平面で、すなわち、水平及び垂直に立てておくことが可能である。
・インプラントホルダ２は、有利にはケース１内で係止されることにより保持される。
・歯科用工具によって、インプラント９はケース１から直接に取り出すことができる。
【００１８】
インプラントホルダ（保持台）２
・種々異なるインプラント直径のための収容部として働く（図２）。インプラントホルダ２及びドリルホルダのための万能収容部により、パッケージは全てのインプラントシステムのために（いわば「キット」の形で）使用可能である。
・保持台はインプラント９を、研磨された上側でのみ保持する。
・収容部内におけるインプラント９の堅固な保持は、形状接続によりもたらされる。（例示の構成では、材料はインプラント９又はドリルの直径に適合しているか、又はスリット３が、円筒状の形状を収容するための湾曲を備えており、かつばね弾性的に可動であり、これにより、円筒状の部材が係止及び係止解除されるようになっている（図４参照）。
・インプラントホルダ２は、ケース１から取り出すことができ、かつ安定性良く設置可能である。
・この場合、インプラント９は歯科用工具によってインプラントホルダ２から取り出すことができる。
・インプラントホルダ２は、助手又は歯科医のための引渡部として使用される。
【００１９】
ケース１は、有利には詰替パッケージ内に配置されている。この詰替パッケージは、一般に折り畳み可能な箱であり、この箱には内容表示が印刷されている。
【００２０】
別の実施例（図３）では、スリット３を備えた面はチタン薄板の形で構成されており、ケース１に堅固に挿入されている。従って、独立した小テーブルの機能はもはや実現されない。もちろん、製造時には簡易化による利点がもたらされる。前記スリット３は、さらに円筒状の形状を収容するための環状の切欠きを有しており、かつばね弾性的に可動であり、これにより、円筒状の部材は係止及び係止解除されるようになっている（詳細は図４参照）。
【００２１】
さらに、パッケージが次の特徴のいずれか１つ又は複数を有していると有利である。
【００２２】
インプラント９は工具によって取り出すことができ、しかも平面６でも平面７でも立ったまま取り出すことができる。
【００２３】
平面６及び平面７は互いにほぼ垂直に設けられている。
【００２４】
ケース１とインプラントホルダ２とは、滅菌可能である。
【００２５】
開口はフィルムにより閉じられている。
【００２６】
インプラントホルダ２は、ケース１から取出し可能であり、さらにケース１は、２つの異なる平面６，７で立てておくことが可能である。
【００２７】
インプラントホルダ２は、押込みによってケース１内に固定することができ、係止手段４により係止可能かつ再び取り外すことができる。
【００２８】
凹部３は、インプラント９を収容するための先細りするスリットの形で構成されており、このスリットは、弾性的な材料から製造されているか、又は弾性的な材料から成るリップにより覆われている。
【００２９】
インプラントホルダ２は、ケース１内で、基準平面６，７のいずれか一方に対してほぼ平行に固定されている。
【００３０】
凹部３は、円筒状の形状を収容するための環状の切欠きを備えており、かつばね弾性的に可動であり、これにより、収容される円筒状の部材を係止及び係止解除することができるようになっている（図４）。図４から判るように、上に述べた切欠きは、それぞれ部分のみが円形に形成されている。
【００３１】
インプラントホルダ２は、チタン薄板の形で形成されている。
【図面の簡単な説明】
【００３２】
【図１】ケース１及びケース１内に係止可能なインプラントホルダ２を示す図である。
【００３３】
【図２】インプラントホルダの基本的な構成を示す詳細図である。
【００３４】
【図３】ケース１及びケース１内に押し込まれた板状のインプラントホルダを示す２つの斜視図である。ｂには、挟み込まれたインプラントが示されている。
【００３５】
【図４】対応する板状のインプラントホルダを示す図である。
【符号の説明】
【００３６】
１  ケース、    ２  インプラントホルダ、    ３  凹部（スリット）、    ４  係止手段、    ５  面、    ６  平面、    ７  平面、    ９  インプラント
【図１】
2004243127.tif 000003
【図２】
2004243127.tif 000004
【図３】
2004243127.tif 000005
【図４】
2004243127.tif 000006